【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
１以上の電子デバイスの状態を検出する装置であって、
（a）一体化されたアンテナを有する一体化アンテナ筐体と、
（b）前記筐体の中空内部に設置された取付治具であって、前記１以上の電子デバイスを収容し、１以上の信号を前記１以上の電子デバイスのそれぞれに接続するように構成された取付治具と、
（c）前記一体化アンテナ筐体に接続され、前記１以上の信号が接続された１以上の電子デバイスのそれぞれからの無線周波数（ＲＦ）エネルギーの放射のシグネチャを処理するように構成されたセンサ・コントローラアセンブリと
を備えた、装置。
【請求項２】
前記筐体と前記アンテナとの組み合わせは、ＲＦエネルギーの外部環境的放射の影響から前記中空内部を遮蔽すること及び前記中空内部の内部に生成される前記ＲＦエネルギーを捕捉することの少なくとも一方を行うように構成されている、請求項１の装置。
【請求項３】
偽造及び／又は規格外の電子デバイスの検出及び／又は特定を行うための装置であって、
（a）筐体であって、ベースと該筐体の中空内部を規定する周壁とを含む筐体と、
（b）前記中空内部に位置することが可能な取付治具であって、内部に１以上の電子デバイスを収容するように構成された取付治具と、
（c）前記取付治具内に設置された前記１以上の電子デバイスのそれぞれに設置された少なくとも１つのピンに少なくとも１つの入力を送るように構成された少なくとも１つの接続部であって、クロック、パワー、及びグランドのうち少なくとも１つに送られる少なくとも１つの接続部と、
（d）前記周壁の内面上に設置されるか前記周壁の厚さに一体化されるアンテナであって、前記取付治具内に収容された１以上の電子デバイスのそれぞれからの無線周波数（ＲＦ）エネルギーの放射を捕捉可能なアンテナと、
（e）前記アンテナに接続され、前記捕捉された放射のシグネチャを受け取り処理するように構成されたセンサ・コントローラアセンブリと
を備えた、装置。
【請求項４】
前記少なくとも１つのピンは、パワーピン、クロックピン、グランドピンのうちの１つであり、前記少なくとも１つのピンは、前記１以上の電子デバイスの入力ピン又は出力ピンである、請求項３の装置。
【請求項５】
前記センサ・コントローラアセンブリは、前記１以上の電子デバイスからの反応を判別して、真正な電子デバイスから偽造及び／又は規格外の電子デバイスを検出するように構成されている、請求項１から４のいずれか一項の装置。
【請求項６】
前記センサ・コントローラアセンブリは、少なくとも１つの既知の真正部品が発する意図しない放射を測定し、少なくとも１つの既知の真正部品が発する前記意図しない放射を電子デバイスのロットと比較して前記ロットが偽造及び／又は規格外の電子デバイスを含んでいるか否かを判断するように構成される、請求項１から４のいずれか一項の装置。
【請求項７】
前記取付治具は、回路基板と、前記回路基板に設置された１以上のソケットと、前記１以上のソケットと前記センサ・コントローラアセンブリとの間の接続部とを含む、請求項１から６のいずれか一項の装置。
【請求項８】
前記取付治具は、可動アクセス引出し内に配置され、前記装置は、前記可動アクセス引出しに連結され、前記アクセス引出しを開閉可能な電気機械式アクチュエータと、位置決めされ、前記電気機械式アクチュエータが前記アクセス引出しを開いたときに前記１以上の電子デバイスを前記取付治具内に配置可能又は前記取付治具から取出可能なロボットデバイスとをさらに備える、請求項１から６のいずれか一項の装置。
【請求項９】
前記少なくとも１つの接続部に連結され、前記少なくとも１つのピンを変調する変調源をさらに備える、請求項３の装置。
【請求項１０】
前記センサ・コントローラアセンブリは、
中空ハウジングと、
前記筐体に信号を供給又は接続するように前記ハウジングと前記筐体との間を接続する外部接続部と、
前記中空ハウジング内に設置され、前記捕捉された放射を受信可能な受信器と、
信号出力モジュールと、
処理デバイスと
を備える、請求項１から４のいずれか一項の装置。
【請求項１１】
前記処理デバイスは、１以上のプロセッサと、実行可能な命令を有する一時的でないコンピュータ読取可能媒体とを含み、前記実行可能な命令は、前記１以上のプロセッサにより実行された際に、
前記受信器で受信された前記捕捉された放射のシグネチャに対してパターン解析を行い、
前記パターン解析の結果を予め定義されたパターンに対して比較し、
前記１以上の電子デバイスが純正品か、偽造品か、規格外品質品かを判断すること
を前記１以上のプロセッサにさせる、
請求項10の装置。
【請求項１２】
偽造及び／又は規格外の電子デバイスの検出及び／又は特定のための装置であって、
（a）ベースと周壁とを有する筐体であって、前記周壁が前記筐体の中空内部を有するとともにこれを規定している筐体と、
（b）前記一体化アンテナ筐体の前記中空内部に配置された取付治具であって、内部に１以上の電子デバイスを収容するように構成された取付治具と、
（c）２つだけの信号を前記取付治具内に収容された前記１以上の電子デバイスのそれぞれに設けられた２つのピンに送るように構成された２つだけの接続部であって、前記２つだけの信号のそれぞれが選択的に別個となったピンに送られる、接続部と、
（d）前記２つだけの信号のうち少なくとも１つを変調するための手段と、
（e）前記周壁の内面に設置されているか、あるいは前記周壁の厚みに一体化されているアンテナであって、前記取付治具内に収容された１以上の電子デバイスのそれぞれから無線周波数（ＲＦ）エネルギーの放射を捕捉可能であり、変調された信号が送られるアンテナと、
（f）前記アンテナに接続され、前記捕捉された放射のシグネチャを処理するように構成されたセンサ・コントローラアセンブリと
を備えた装置。
【請求項１３】
偽造及び／又は規格外の電子デバイスの検出及び／又は特定のための装置であって、
（a）筐体と、
（b）前記筐体の中空内部に設置される取付治具であって、内部に１以上の電子デバイスを収容するように構成された取付治具と、
（c）１つだけの信号を前記取付治具内に収容された前記１以上の電子デバイスのそれぞれに設けられた１つのピンに送るように構成された１つだけの接続部と、
（d）前記１つだけの信号を変調するための手段と、
（e）前記周壁の内面に設置されているか、あるいは前記周壁の厚みに一体化されているアンテナであって、前記取付治具内に収容された１以上の電子デバイスのそれぞれから無線周波数（ＲＦ）エネルギーの放射を捕捉可能であり、変調された信号が送られるアンテナと、
（f）前記アンテナに接続され、前記捕捉された放射のシグネチャを処理するように構成されたセンサ・コントローラアセンブリと
を備えた装置。
【請求項１４】
電子デバイス内の異常を検出するための装置であって、
（a）内部に一体化されたアンテナを有する一体化アンテナ筐体と、
（b）前記一体化アンテナ筐体の中空内部に位置する前記電子デバイスの入力及び／又は出力を変調するための手段と、
（c）前記電子デバイスが発する電磁放射のシグネチャにおける異常を検出するための手段と
を備える、装置。
【請求項１５】
前記装置は、前記電子デバイスの経年状況、偽造状況、劣化状況、変更状況、及び不一致状況のうち少なくとも１つを検出するように構成される、請求項14の装置。
【手続補正２】
【補正対象書類名】明細書
【補正対象項目名】００２９
【補正方法】変更
【補正の内容】
【００２９】
一形態においては、装置500は、コプレーナ導波路、ストリップ線路、埋没ストリップ線路、ガードトレース、グランド平面、及び制御インピーダンストレースデザインのうち少なくとも１つを含む取付治具530を備えており、これにより、１以上の電子デバイス２との接続部からの放射を抑制しつつ、１以上のテスト中の電子デバイス２からの電磁放射を促進するように構成されている。本発明は、選択的に別個となったピンが、１以上の電子デバイス２のそれぞれへの入力及び１以上の電子デバイス２のそれぞれからの出力の一方となることを考えている。
【手続補正３】
【補正対象書類名】明細書
【補正対象項目名】００５５
【補正方法】変更
【補正の内容】
【００５５】
図15のさらに他の形態では、本発明は、信号出力モジュール564が、コントローラ560から離れて設けられ（コントローラ560から取り除かれ）、１以上のテスト中の電子デバイス２に非変調信号又は変調信号を供給するようにオプションの変調モジュール580（上述したモジュール564e及び564hの動作も実現する意味がある）にさらに連結されることを考えている。図15においては、モジュール582は、582f、582g、582b、582d、及び582jのうちの少なくとも１つを備えている。信号出力モジュール564は、564a、564c、564i、グランド、付加的なクロック及び任意の付加的な入力／出力（Ｉ／Ｏ）564i、及び信号Ｉ／Ｏ564lのうち少なくとも１つを備えている。また、信号出力モジュール564は第２のクロック源564kを含んでいてもよい。